(57)【要約】【課題】動画像の各領域について適切な課金を行うことができる課金情報出力装置を提供する。【解決手段】複数の領域を撮影した動画像を受け付ける動画像受付部１１と、動画像を蓄積する蓄積部１２と、動画像の領域ごとに画像の変化を検出する変化検出部１３と、変化の検出された領域について、その領域の領域特定情報と、その変化に関する変化情報とを対応付ける変化対応情報を変化対応情報記憶部１５に蓄積する変化情報蓄積部１４と、領域特定情報と、課金金額に関する課金情報とを対応付ける課金対応情報が記憶される課金対応情報記憶部１７と、課金対応情報によって領域特定情報に対応付けられている課金情報を、その領域特定情報に変化対応情報で対応付けられている変化情報に応じて更新する課金情報更新部１８と、課金情報を出力する課金情報出力部１９と、を備える。【選択図】図１
2010039696.tif 000002
【特許請求の範囲】
【請求項１】
複数の領域を撮影した動画像を受け付ける動画像受付部と、
前記動画像受付部が受け付けた動画像を蓄積する蓄積部と、
前記蓄積部が蓄積した動画像の複数の領域における領域ごとに、画像の変化を検出する変化検出部と、
領域を特定する情報である領域特定情報と、当該領域特定情報で特定される領域において前記変化検出部によって検出された画像の変化に関する情報である変化情報とを対応付ける情報である変化対応情報が記憶される変化対応情報記憶部と、
前記変化検出部が画像の変化を検出した領域について、当該領域を特定する領域特定情報に対応付けて、当該変化に関する変化情報を前記変化対応情報記憶部に蓄積する変化情報蓄積部と、
領域特定情報と、当該領域特定情報で特定される領域に対応する課金金額に関する情報である課金情報とを対応付ける情報である課金対応情報が記憶される課金対応情報記憶部と、
前記課金対応情報によって領域特定情報に対応付けられている課金情報を、当該領域特定情報に前記変化対応情報で対応付けられている変化情報に応じて更新する課金情報更新部と、
前記課金対応情報で領域特定情報と対応付けられている課金情報を出力する課金情報出力部と、を備えた課金情報出力装置。
【請求項２】
前記変化情報は、画像の変化が検出されたことを示す情報であり、
前記課金情報更新部は、画像の変化が検出されたことを示す変化情報に対応付けられている領域特定情報に対応する課金情報の課金金額が、画像の変化が検出されたことを示す変化情報に対応付けられていない領域特定情報に対応する課金情報の課金金額よりも多くなるように課金情報を更新する、請求項１記載の課金情報出力装置。
【請求項３】
前記変化検出部は、画像の変化の種類をも検出するものであり、
前記変化情報は、画像の変化の種類に関する情報である種類情報を含んでおり、
前記課金情報更新部は、前記課金対応情報によって領域特定情報に対応付けられている課金情報を、当該領域特定情報に前記変化対応情報で対応付けられている変化情報に含まれる種類情報に応じて更新する、請求項１記載の課金情報出力装置。
【請求項４】
種類情報と、課金金額を示す情報である金額情報とを対応付ける情報である種類対応情報が記憶される種類対応情報記憶部をさらに備え、
前記課金情報更新部は、前記課金対応情報によって領域特定情報に対応付けられている課金情報を、当該領域特定情報に前記変化対応情報で対応付けられている変化情報に含まれる種類情報に前記種類対応情報で対応付けられている金額情報の課金金額だけ増加させる、請求項３記載の課金情報出力装置。
【請求項５】
前記動画像は、スポーツに関する動画像であり、
前記画像の変化の種類は、プレーヤの少なくとも一部に関する画像の変化であるプレーヤ変化と、当該スポーツで用いられる用具の少なくとも一部に関する画像の変化である用具変化とを含む、請求項３または請求項４記載の課金情報出力装置。
【請求項６】
前記変化検出部が画像の変化を検出した領域について、当該変化に関する情報である変化送信情報を送信する送信部をさらに備えた、請求項１から請求項５のいずれか記載の課金情報出力装置。
【請求項７】
領域特定情報と、情報の送信先を示す情報である送信先情報とを対応付ける情報である送信先対応情報が記憶される送信先対応情報記憶部をさらに備え、
前記送信部は、前記変化検出部が画像の変化を検出した領域を特定する領域特定情報に前記送信先対応情報によって対応付けられている送信先情報の示す送信先に前記変化送信情報を送信する、請求項６記載の課金情報出力装置。
【請求項８】
前記変化送信情報は、画像の変化が検出された領域の画像を含む、請求項６または請求項７記載の課金情報出力装置。
【請求項９】
前記変化送信情報は、画像の変化が検出された領域を特定する領域特定情報に前記課金対応情報で対応付けられている課金情報を含む、請求項６から請求項８のいずれか記載の課金情報出力装置。
【請求項１０】
動画像受付部と、蓄積部と、変化検出部と、領域特定情報と変化情報とを対応付ける情報である変化対応情報が記憶される変化対応情報記憶部と、変化情報蓄積部と、領域を特定する情報である領域特定情報と当該領域特定情報で特定される領域に対応する課金金額に関する情報である課金情報とを対応付ける情報である課金対応情報が記憶される課金対応情報記憶部と、課金情報更新部と、課金情報出力部とを用いて処理される課金情報出力方法であって、
前記動画像受付部が、複数の領域を撮影した動画像を受け付ける動画像受付ステップと、
前記蓄積部が、前記動画像受付ステップで受け付けた動画像を蓄積する蓄積ステップと、
前記変化検出部が、前記蓄積ステップで蓄積した動画像の複数の領域における領域ごとに、画像の変化を検出する変化検出ステップと、
前記変化情報蓄積部が、前記変化検出ステップで画像の変化を検出した領域について、当該領域を特定する領域特定情報に対応付けて、当該検出された画像の変化に関する情報である変化情報を前記変化対応情報記憶部に蓄積する変化情報蓄積ステップと、
前記課金情報更新部が、前記課金対応情報によって領域特定情報に対応付けられている課金情報を、当該領域特定情報に前記変化対応情報で対応付けられている変化情報に応じて更新する課金情報更新ステップと、
前記課金情報出力部が、前記課金対応情報で領域特定情報と対応付けられている課金情報を出力する課金情報出力ステップと、を備えた課金情報出力方法。
【請求項１１】
コンピュータを、
複数の領域を撮影した動画像を受け付ける動画像受付部と、
前記動画像受付部が受け付けた動画像を蓄積する蓄積部と、
前記蓄積部が蓄積した動画像の複数の領域における領域ごとに、画像の変化を検出する変化検出部と、
前記変化検出部が画像の変化を検出した領域について、当該領域を特定する情報である領域特定情報に対応付けて、当該検出された画像の変化に関する情報である変化情報を、領域特定情報と変化情報とを対応付ける情報である変化対応情報が記憶される変化対応情報記憶部に蓄積する変化情報蓄積部と、
課金対応情報記憶部で記憶されている、領域特定情報と当該領域特定情報で特定される領域に対応する課金金額に関する情報である課金情報とを対応付ける情報である課金対応情報によって領域特定情報に対応付けられている課金情報を、当該領域特定情報に前記変化対応情報で対応付けられている変化情報に応じて更新する課金情報更新部と、
前記課金対応情報で領域特定情報と対応付けられている課金情報を出力する課金情報出力部として機能させるためのプログラム。
【発明の詳細な説明】
【技術分野】
【０００１】
本発明は、動画像に関する変化を検出し、その変化に応じて課金を行う課金情報出力装置等に関する。
【背景技術】
【０００２】
従来、月の土地を販売するというビジネスが行われている（例えば、非特許文献１参照）。
【非特許文献１】「月の土地紹介」、［ｏｎｌｉｎｅ］、株式会社ルナエンバシージャパン、［２００８年５月２８日検索］、インターネット｛ＵＲＬ：ｈｔｔｐ：／／ｗｗｗ．ｌｕｎａｒｅｍｂａｓｓｙ．ｊｐ／ｏｓｕｓｕｍｅ／ｏｓｕｓｕｍｅ．ｈｔｍ｝
【発明の開示】
【発明が解決しようとする課題】
【０００３】
しかしながら、上述した月の土地を販売するビジネスでは、１エーカーの領域が画一の値段で販売されており、各領域に応じた価格設定がなされていない。
一般的にいえば、領域ごとに適切な課金を行いたいという課題があった。
【０００４】
本発明は、上記課題を解決するためになされたものであり、動画像の各領域について適切な課金を行うことができる課金情報出力装置等を提供することを目的とする。
【課題を解決するための手段】
【０００５】
上記目的を達成するため、本発明による課金情報出力装置は、複数の領域を撮影した動画像を受け付ける動画像受付部と、前記動画像受付部が受け付けた動画像を蓄積する蓄積部と、前記蓄積部が蓄積した動画像の複数の領域における領域ごとに、画像の変化を検出する変化検出部と、領域を特定する情報である領域特定情報と、当該領域特定情報で特定される領域において前記変化検出部によって検出された画像の変化に関する情報である変化情報とを対応付ける情報である変化対応情報が記憶される変化対応情報記憶部と、前記変化検出部が画像の変化を検出した領域について、当該領域を特定する領域特定情報に対応付けて、当該変化に関する変化情報を前記変化対応情報記憶部に蓄積する変化情報蓄積部と、領域特定情報と、当該領域特定情報で特定される領域に対応する課金金額に関する情報である課金情報とを対応付ける情報である課金対応情報が記憶される課金対応情報記憶部と、前記課金対応情報によって領域特定情報に対応付けられている課金情報を、当該領域特定情報に前記変化対応情報で対応付けられている変化情報に応じて更新する課金情報更新部と、前記課金対応情報で領域特定情報と対応付けられている課金情報を出力する課金情報出力部と、を備えたものである。
【０００６】
このような構成により、各領域について変化を検出し、その変化に応じて課金情報を更新することができる。その結果、各領域について変化に応じた課金を行うことが可能となり、適切な課金を行うことができるようになりうる。
【０００７】
また、本発明による課金情報出力装置では、前記変化情報は、画像の変化が検出されたことを示す情報であり、前記課金情報更新部は、画像の変化が検出されたことを示す変化情報に対応付けられている領域特定情報に対応する課金情報の課金金額が、画像の変化が検出されたことを示す変化情報に対応付けられていない領域特定情報に対応する課金情報の課金金額よりも多くなるように課金情報を更新してもよい。
【０００８】
このような構成により、変化の検出された領域の方が、変化の検出されなかった領域よりも多くの課金がなされるようにすることができる。
【０００９】
また、本発明による課金情報出力装置では、前記変化検出部は、画像の変化の種類をも検出するものであり、前記変化情報は、画像の変化の種類に関する情報である種類情報を含んでおり、前記課金情報更新部は、前記課金対応情報によって領域特定情報に対応付けられている課金情報を、当該領域特定情報に前記変化対応情報で対応付けられている変化情報に含まれる種類情報に応じて更新してもよい。
【００１０】
このような構成により、各領域での変化の種類に応じた課金を行うことができるようになり、より細かい課金を行うことができるようになる。
【００１１】
また、本発明による課金情報出力装置では、種類情報と、課金金額を示す情報である金額情報とを対応付ける情報である種類対応情報が記憶される種類対応情報記憶部をさらに備え、前記課金情報更新部は、前記課金対応情報によって領域特定情報に対応付けられている課金情報を、当該領域特定情報に前記変化対応情報で対応付けられている変化情報に含まれる種類情報に前記種類対応情報で対応付けられている金額情報の課金金額だけ増加させてもよい。
【００１２】
このような構成により、種類対応情報を適切に設定することによって、各領域での変化の種類に応じた適切な課金を行うことができるようになりうる。
【００１３】
また、本発明による課金情報出力装置では、前記変化検出部が画像の変化を検出した領域について、当該変化に関する情報である変化送信情報を送信する送信部をさらに備えてもよい。
【００１４】
このような構成により、例えば、ある領域について画像の変化の発生したことを、関係者に知らせることができうる。
【００１５】
また、本発明による課金情報出力装置では、領域特定情報と、情報の送信先を示す情報である送信先情報とを対応付ける情報である送信先対応情報が記憶される送信先対応情報記憶部をさらに備え、前記送信部は、前記変化検出部が画像の変化を検出した領域を特定する領域特定情報に前記送信先対応情報によって対応付けられている送信先情報の示す送信先に前記変化送信情報を送信してもよい。
【００１６】
このような構成により、変化検出部が画像の変化を検出した領域に対応する送信先に変化送信情報を送信することができ、例えば、各領域に対応する者に対して、領域の画像に変化が発生したことなどを知らせることができうる。
【００１７】
また、本発明による課金情報出力装置では、前記変化送信情報は、画像の変化が検出された領域の画像を含んでもよい。
このような構成により、変化送信情報によって、変化の検出された領域の画像を知らせることができうる。
【００１８】
また、本発明による課金情報出力装置では、前記変化送信情報は、画像の変化が検出された領域を特定する領域特定情報に前記課金対応情報で対応付けられている課金情報を含んでもよい。
このような構成により、課金情報を含む変化送信情報を送信することができ、例えば、ある領域に対応する課金情報の課金金額を関係者に知らせることができうる。
【発明の効果】
【００１９】
本発明による課金情報出力装置等によれば、動画像の各領域について適切な課金を行うことができる。
【発明を実施するための最良の形態】
【００２０】
以下、本発明による課金情報出力装置について、実施の形態を用いて説明する。なお、以下の実施の形態において、同じ符号を付した構成要素及びステップは同一または相当するものであり、再度の説明を省略することがある。
【００２１】
（実施の形態１）
本発明の実施の形態１による課金情報出力装置について、図面を参照しながら説明する。本実施の形態による課金情報出力装置は、動画像の各領域について変化に応じた課金を行うものである。
【００２２】
図１は、本実施の形態による課金情報出力装置１の構成を示すブロック図である。本実施の形態による課金情報出力装置１は、動画像受付部１１と、蓄積部１２と、変化検出部１３と、変化情報蓄積部１４と、変化対応情報記憶部１５と、種類対応情報記憶部１６と、課金対応情報記憶部１７と、課金情報更新部１８と、課金情報出力部１９とを備える。
【００２３】
動画像受付部１１は、動画像を受け付ける。その動画像は、一のカメラによって撮影されたものであってもよく、あるいは、２以上のカメラによって撮影された動画像の集合であってもよい。後者の場合に、複数の動画像の集合によって、一の動画像が構成されてもよく（例えば、野球場の各部分を４個のカメラで撮影した４個の動画を合成することによって、野球場全体の一の動画像を構成する場合など）、あるいは、そうでなくてもよい。動画像は、例えば、スポーツに関する動画像であってもよく、そうでなくてもよい。
【００２４】
動画像受付部１１が受け付ける動画像は、複数の領域を撮影したものである。その領域は、あらかじめ設定されているものとする。例えば、野球場やサッカー場、テニスコート等のスポーツで用いられるフィールドが、あらかじめ複数の領域に区切られていてもよい。その領域の区切りが結果として分かるのであれば、その領域の区切りを示す情報については問わない。その領域の区切りを示す情報は、動画像受付部１１が受け付けた動画像に含まれていてもよく、あるいは、そうでなくてもよい。前者の場合には、例えば、領域の境界線や領域の境界点を示すマーカ等が野球場等のフィールドに配置されており、そのマーカ等をカメラで撮影することによって、領域の区切りを示す情報が動画像に含まれていてもよい。この場合には、動画像に含まれるマーカ等を検出することによって、領域の区切りを検出することが分かる。また、後者の場合には、例えば、領域を区切る情報が図示しない記録媒体において記憶されており、その領域を区切る情報を用いて、動画像受付部１１が受け付けた動画像における各領域の区切りが分かるようになってもよい。この場合における領域を区切る情報は、例えば、領域の境界線や領域の境界点を示す座標値であってもよく（この場合には、動画像のピクセルと座標値とが対応付けられていることが好適である）、基準点から所定の長さ四方の領域に区切る旨の情報であってもよく（この場合には、動画像にける基準点に対応する位置を特定可能になっていることが好適である）、その他の情報であってもよい。なお、この領域の区切りは、厳密なものでなくてもよい。すなわち、ある領域と、その領域に隣接する領域とに重複が存在してもよい。例えば、１メートル間隔の正方格子の交点ごとに基準点が設けられており、それらの各基準点から半径０．７５メートルの円が各領域となる場合などには、隣接する領域間での重複が存在することになる。
【００２５】
動画像受付部１１が受け付ける動画像のフレームレートは問わない。例えば、３０フレーム／秒であってもよく、６０フレーム／秒であってもよく、精度によっては、１フレーム／秒や、０．５フレーム／秒であってもよい。
【００２６】
動画像受付部１１は、例えば、入力デバイス（例えば、動画像を撮影するカメラなど）から入力された動画像を受け付けてもよく、有線もしくは無線の通信回線を介して送信された動画像を受信してもよく、所定の記録媒体（例えば、光ディスクや磁気ディスク、半導体メモリなど）から読み出された動画像を受け付けてもよい。なお、動画像受付部１１は、受け付けを行うためのデバイス（例えば、モデムやネットワークカードなど）を含んでもよく、あるいは含まなくてもよい。また、動画像受付部１１は、ハードウェアによって実現されてもよく、あるいは所定のデバイスを駆動するドライバ等のソフトウェアによって実現されてもよい。
【００２７】
蓄積部１２は、動画像受付部１１が受け付けた動画像を記録媒体に蓄積する。その記録媒体は、例えば、半導体メモリや、光ディスク、磁気ディスク等であり、蓄積部１２が有していてもよく、あるいは蓄積部１２の外部に存在してもよい。また、この記録媒体は、動画像を一時的に記憶するものであってもよく、そうでなくてもよい。蓄積部１２は、例えば、動画像を構成する各フレームに対応するタイムコードに対応付けて動画像を蓄積してもよく、そうでなくてもよい。そのタイムコードは、動画像受付部１１が受け付けたものであってもよく、あるいは、蓄積部１２や他の構成要素が動画像に対して付与するものであってもよい。
【００２８】
変化検出部１３は、蓄積部１２が蓄積した動画像の複数の領域における領域ごとに、画像の変化を検出する。この変化検出部１３による変化の検出の結果、複数の領域ごとに、変化のあったことが分かることになる。変化検出部１３は、ある領域についての変化を検出する場合に、変化の検出の対象となる画像（フレーム画像）におけるその領域と、参照画像における同じ領域との間の変化を検出してもよい。ここで、参照画像は、例えば、動体が存在しない定常状態における画像（例えば、野球場等のフィールドにおいて選手や審判、バットやボール等が存在しないフィールドの画像等）であってもよく、変化の検出の対象となる画像の直前の画像や、あらかじめ決められたフレームだけ前の画像であってもよい。変化を検出する方法は、例えば、変化の検出の対象となる画像と参照画像とに差分が存在する場合に変化を検出する方法であってもよく、その他の動体検出の方法を用いてもよい。また、変化検出部１３は、例えば、変化の検出の対象となる画像と参照画像との類似度を算出し、その類似度がしきい値よりも低い場合に、変化が起こっていると判断してもよい。動画像における変化を検出する方法はすでに知られており、その詳細な説明を省略する。
【００２９】
なお、変化検出部１３が「複数の領域ごとに画像の変化を検出する」とは、結果としてそのようになればよく、必ずしも変化を検出する処理を領域ごとに行わなくてもよい。例えば、動画像の全体において変化している範囲を特定し、その特定した範囲に含まれる各領域を特定してもよい。その場合には、その特定された各領域について、変化が検出されたことになる。
【００３０】
また、変化検出部１３が、変化の検出の対象となる画像と、参照画像との間の変化を検出する際に、日照等に起因する明度の変化や、カメラの振動等に起因する位置ずれ等のノイズを適切に除去して、両画像間の変化を検出するようにしてもよい。そのような技術は、すでに公知であり、その詳細な説明を省略する。
【００３１】
また、変化検出部１３は、画像の変化の種類をも検出してもよい。すなわち、変化検出部１３は、画像の変化を検出した領域について、画像の変化の種類を検出する処理を行い、その種類を特定してもよい。動画像がスポーツに関するものである場合、すなわち、動画像が野球やサッカー等のスポーツを撮影したものである場合には、その画像の変化の種類は、スポーツのプレーヤの少なくとも一部に関する画像の変化であるプレーヤ変化と、そのスポーツで用いられる用具（例えば、ボールやバット、ラケット等）の少なくとも一部に関する画像の変化である用具変化とを含んでいてもよい。また、画像の変化の種類は、さらに細かい情報、例えば、どのプレーヤの少なくとも一部に関する画像の変化であるのかを示す情報や、どの用具の少なくとも一部に関する画像の変化であるのかを示す情報を含んでもよい。
【００３２】
変化検出部１３が、各領域における画像の変化の種類を検出する方法としては、例えば、パターンマッチングを用いる方法や、オブジェクト追跡を用いる方法、オブジェクトの位置を別途、取得する方法などがありうる。これらについて、簡単に説明する。
【００３３】
［パターンマッチングを用いる方法］
例えば、変化検出部１３は、画像のパターンと、その画像のパターンに対応した画像の変化の種類に関する情報である種類情報とを対応付ける情報（この情報は、図示しない記録媒体で記憶されているものとする）を用いて、変化の検出された画像の領域について、保持している画像のパターンと一致する箇所が存在するかどうかを判断し、存在する場合には、その画像のパターンに対応する種類情報を特定してもよい。種類情報は、例えば、種類の名称を示す情報であってもよく、種類を特定できる情報であれば、その内容を問わない。種類情報を特定するとは、例えば、その特定する種類情報を図示しない記録媒体に蓄積することであってもよく、その特定する種類情報に対応付けてフラグ等を設定することであってもよい。
【００３４】
より具体的には、例えば、ボールやラケット等の用具の画像のパターンと、種類情報「用具変化」とが対応付けられて保持されていてもよい。そして、変化の検出された画像の領域において、その用具の画像のパターンと一致する箇所が存在するのであれば、変化検出部１３は、その用具の画像のパターンに対応する種類情報「用具変化」を、その変化の検出された領域に対応する種類情報として特定してもよい。プレーヤについても、同様にパターンマッチングの処理を行ってもよく、あるいは、用具の画像のパターンと一致しない場合には、プレーヤについての画像の変化であると判断し、変化の検出された領域に対応する種類情報「プレーヤ変化」を特定してもよい。「変化の検出された領域に対応する種類情報を特定する」とは、結果として、変化の検出された領域と、種類情報との対応を知ることができるようになればよい、という意味である。したがって、具体的な処理としては、例えば、変化の検出された領域を特定する領域特定情報と種類情報とを対応付ける情報を図示しない記録媒体に蓄積することであってもよい。なお、画像のパターンとの一致の判断は、例えば、完全一致の判断であってもよく、類似度がしきい値以上であるかどうかの判断（類似度がしきい値以上であれば一致すると判断する）であってもよい。また、上記説明では、種類情報「用具変化」「プレーヤ変化」を特定する場合について説明したが、さらに細かい種類情報の特定を行ってもよい。例えば、変化検出部１３は、用具変化のさらに詳細な種類として、「ボール変化」「バット変化」「ラケット変化」等を特定してもよい。その場合には、その「ボール変化」等に対応する画像のパターンもあらかじめ用意されているものとする。
【００３５】
［オブジェクト追跡を用いる方法］
近年、オブジェクト追跡の技術について研究がなされており、動画像において、特定のオブジェクト（例えば、人間の手など）の位置を検出する（追跡する）ことができるようになっている。したがって、その技術を用いて、動画像においてオブジェクトの追跡を行うことによって、各フレームにおけるオブジェクトの位置を得ることができる。そして、画像の変化の検出された領域について、その追跡しているどのオブジェクトが存在するのかを判断することによって、その領域での画像の変化を引き起こしたオブジェクトを特定することができ、その結果、画像の変化の種類を特定することができる。
【００３６】
より具体的には、例えば、ボールやラケット等の用具と、プレーヤとについて、オブジェクト追跡を行うものとする。そして、各オブジェクトの画像での位置を示す情報である位置情報と、そのオブジェクトを識別する情報であるオブジェクト識別情報とが対応付けられて記憶されているものとする。その位置情報は、オブジェクトの位置の変更に応じて更新されるものとする。また、オブジェクト識別情報と、そのオブジェクト識別情報で識別されるオブジェクトに対応する種類情報とも対応付けられて記憶されているものとする。
【００３７】
そして、ある領域について画像の変化が検出された場合に、その領域に対応する位置を示す位置情報が存在するかどうか判断し、存在するのであれば、その位置情報に対応するオブジェクト識別情報を取得する。そして、そのオブジェクト識別情報に対応する種類情報を取得することによって、その変化の検出された領域に対応する種類情報を特定する。例えば、画像の変化が検出された領域に対応する位置情報に、ボールを識別するオブジェクト識別情報が対応付けられており、そのボールを識別するオブジェクト識別情報に種類情報「用具変化」が対応付けられているのであれば、変化検出部１３は、その変化の検出された領域に対応する種類情報「用具変化」を特定してもよい。
【００３８】
なお、オブジェクト追跡と共に、背番号認識を用いてプレーヤを同定する方法については、次の文献を参照されたい。
文献：三須俊彦、苗村昌秀、高橋正樹、和泉吉則、「オブジェクト追跡と背番号認識の連携による動画像用スポーツ選手同定手法」、ＦＩＴ（情報科学技術フォーラム）、２００３年
【００３９】
［オブジェクトの位置を別途、取得する方法］
オブジェクトの位置（この位置は、動画像における位置ではなく、実空間での位置であってもよい）を動画像以外から取得することも可能である。この方法については、後述する。そして、動画像に含まれうる各オブジェクトの位置を、動画像以外から取得しておく。これにより、例えば、オブジェクトを識別するオブジェクト識別情報と、そのオブジェクトの位置を示す位置情報とを対応付ける情報を得ることができる。なお、この情報には、動画像に含まれるタイムコードと対応をとることができる時間情報が含まれていることが好適である。次に、変化の検出された画像の領域について、その画像の領域が含まれるフレームのタイムコードを用いることによって、そのフレームの時点の各オブジェクトの位置を示す位置情報を特定する。そして、その位置情報を用いて、変化の検出された画像の領域に、どのオブジェクトが存在していたのかを判断し、その領域での画像の変化を引き起こしたオブジェクトを特定することができる。なお、この判断の際に、例えば、画像での位置を示す情報と、実空間での位置を示す情報とを対応付ける情報を用いて、画像上の位置と、実空間での位置との変換を行ってもよい。その後、オブジェクト識別情報と、種類情報とを対応付ける情報を用いて、特定したオブジェクトに対応する種類情報を特定してもよい。
【００４０】
より具体的には、各プレーヤの位置を示す情報である位置情報を取得し、蓄積しておく。なお、その位置情報は、各プレーヤの位置の変更に応じて更新されるものとする。また、画像上の位置と、実空間の位置とを変換するための情報（例えば、変換テーブルであってもよく、変換式であってもよい）もあらかじめ用意されているものとする。そして、ある領域について変化の検出された際に、いずれかのプレーヤの位置情報の示す位置が、その領域内に存在するかどうか判断する。その判断の際に、画像上の位置と、実空間の位置とを変換するための情報を用いて、画像上の位置と実空間の位置との変換を行うものとする。いずれかのプレーヤの位置情報の示す位置が、変化の検出された領域内に存在する場合には、変化検出部１３は、その領域に対応付けて種類情報「プレーヤ変化」を特定する。一方、いずれのプレーヤも存在しないのであれば、変化の検出された領域に対応付けて、種類情報「用具変化」を特定する。あるいは、用具についても、プレーヤと同様に、その位置を示す位置情報を取得して蓄積しておき、その用具の位置情報をも用いて、各領域における画像の変化の種類を特定してもよい。
【００４１】
ここで、オブジェクトの位置情報を取得する方法について説明する。オブジェクトの位置情報は、例えば、オブジェクトに設けられているＬＰＳ（Ｌｏｃａｌ  Ｐｏｓｉｔｉｏｎｉｎｇ  Ｓｙｓｔｅｍ）によって取得されたものでもよく、オブジェクトに設けられているＧＰＳ（Ｇｌｏｂａｌ  Ｐｏｓｉｔｉｏｎｉｎｇ  Ｓｙｓｔｅｍ）によって取得されたものでもよく、ＲＦＩＤ（Ｒａｄｉｏ  Ｆｒｅｑｕｅｎｃｙ  Ｉｄｅｎｔｉｆｉｃａｔｉｏｎ）や無線ＬＡＮ、Ｂｌｕｅｔｏｏｔｈ（登録商標）等を用いて３点測量を行うことによって取得されたものでもよく、フィールド等の環境側に配設された圧力センサ等を用いてオブジェクトの通過した圧力センサ等の位置を検出することによって得られたものでもよく、人感センサやカメラ等のように、フィールド等の環境側の所定の場所に固定された機器によって取得されたものでもよい。ＬＰＳとは、例えば、地磁気センサと加速度センサとを有する自律航法型の位置測位センサによって、基準点からの座標値を算出することができる装置である。
【００４２】
なお、プレーヤの位置情報を取得する際に、各プレーヤの位置情報と、プレーヤを識別する情報（例えば、プレーヤの氏名等）とを対応付けておくことによって、ある領域について検出された変化が、種類情報「プレーヤ変化」に対応する場合に、どのプレーヤがその領域に入ってきたのかについても特定することができるようになりうる。また、ある領域に入った選手を特定する他の方法としては、例えば、ある領域に入った選手の一部（例えば、足や手など）を特定し、その後にその特定した部分を含む選手全体の画像を、その領域を含むフレームの全体や、フレームの一部において特定し、その選手全体の画像において、背番号の認識や顔認識等の選手を特定する処理を行うことによって、その選手の特定を行ってもよい。なお、顔認識によって人を特定する方法は、例えば、公知の監視システム等の技術として公知であり、その説明を省略する。また、背番号を用いて選手を特定する方法については、例えば、前述の文献「オブジェクト追跡と背番号認識の連携による動画像用スポーツ選手同定手法」を参照されたい。
【００４３】
また、変化検出部１３は、ある領域について連続して画像の変化が起こっている場合（例えば、変化の検出を行う複数のタイミングにわたって、ある領域にボールがずっと置かれている場合や、変化の検出を行う複数のタイミングにわたって、ある領域を同じプレーヤが通過している場合など）に、その変化の発生の時点でのみ画像の変化を検出し、その一連の画像の変化が終了するまでは画像の変化を検出しなくてもよく、あるいは、画像の変化が起こっている全ての時点において画像の変化を検出してもよい。前者の場合の一具体例について簡単に説明する。例えば、変化検出部１３が１秒ごとに変化を検出しており、ある領域について変化が起こった際には、その時点で変化を検出するとする。そして、変化検出部１３は、その領域について変化を検出したため、その領域に対応付けて変化を検出した旨のフラグ等の情報を設定する。その後、変化検出部１３が、次の判断のタイミングで、その領域において変化の起こっていることを検知したとしても、前回の判断時に変化が検出された旨のフラグ等がその領域に対応付けられて設定されているため、その領域での変化を検出しない。一方、変化検出部１３が、その領域において変化が起こっていないことを検知した際には、その領域に対応付けられていたフラグ等の設定を解除する。その結果、その後にその領域において変化が起こった際には、変化検出部１３による変化の検出が行われることになる。このようにして、ある領域について連続して変化が起こっていたとしても、変化の開始の時点だけ変化が検出され、その後は、その一連の変化が終了するまでは、変化の検出が行われないようになる。例えば、ある領域を選手が通過する場合に、その領域に選手の一部が初めて入った時点で変化が検出され、その後は、その選手が完全にその領域から出てしまうまで、変化が検出されないようになる。なお、この方法は一例であって、他の方法によって、変化検出部１３が、ある領域について連続して画像の変化が起こっている場合に、その変化の発生の時点でのみ画像の変化を検出し、その一連の画像の変化が終了するまでは画像の変化を検出しないようにしてもよいことは言うまでもない。
【００４４】
変化情報蓄積部１４は、変化検出部１３が画像の変化を検出した領域について、その領域を特定する領域特定情報に対応付けて、その変化に関する変化情報を、後述する変化対応情報記憶部１５に蓄積する。なお、この変化情報の蓄積は、例えば、領域特定情報と変化情報とを対応付ける情報である変化対応情報を蓄積することであってもよく、あらかじめ変化対応情報記憶部１５で記憶されている領域特定情報に対応付けて変化情報のみを蓄積することであってもよく、あるいは、変化対応情報記憶部１５で記憶されている変化対応情報で領域特定情報と対応付けられている変化情報を上書きで更新することであってもよい。本実施の形態では、変化情報蓄積部１４が変化対応情報を変化対応情報記憶部１５に蓄積する場合について説明する。変化情報は、画像の変化が検出されたことを示す情報であってもよい。また、変化情報には、変化の検出された回数が含まれてもよく、そうでなくてもよい。また、変化検出部１３が画像の変化の種類をも検出する場合には、変化情報は、画像の変化の種類に関する種類情報を含んでもよい。その種類情報は、変化検出部１３によって特定されたものであってもよい。
【００４５】
ここで、「領域特定情報と、変化情報とを対応付ける」とは、領域特定情報と変化情報の一方の情報から、他方の情報を取得できればよいという意味である。したがって、変化対応情報は、領域特定情報と変化情報とを組として含む情報を有してもよく、領域特定情報と変化情報とをリンク付ける情報であってもよい。後者の場合には、変化対応情報は、例えば、領域特定情報と変化情報の格納されている位置を示すポインタやアドレスとを対応付ける情報であってもよい。本実施の形態では、前者の場合について説明する。また、領域特定情報と変化情報とは、直接対応付けられていなくてもよい。例えば、領域特定情報に、第３の情報が対応しており、その第３の情報に変化情報が対応していてもよい。他の２以上の情報が対応付けられる場合にも同様であるとする。なお、前述のように、変化情報蓄積部１４は、変化情報を少なくとも変化対応情報記憶部１５に蓄積するものであるため、変化対応情報には、少なくとも変化情報は含まれることになる。
【００４６】
変化対応情報記憶部１５では、領域を特定する情報である領域特定情報と、その領域特定情報で特定される領域において変化検出部１３によって検出された画像の変化に関する情報である変化情報とを対応付ける情報である変化対応情報が記憶される。この変化対応情報によって領域特定情報と対応付けられる変化情報は、変化情報蓄積部１４によって蓄積されるものである。
【００４７】
変化対応情報記憶部１５での記憶は、ＲＡＭ等における一時的な記憶でもよく、あるいは、長期的な記憶でもよい。変化対応情報記憶部１５は、所定の記録媒体（例えば、半導体メモリや磁気ディスク、光ディスクなど）によって実現されうる。
【００４８】
種類対応情報記憶部１６では、種類対応情報が記憶される。種類対応情報は、種類情報と、課金金額を示す情報である金額情報とを対応付ける情報である。種類対応情報記憶部１６に種類対応情報が記憶される過程は問わない。例えば、記録媒体を介して種類対応情報が種類対応情報記憶部１６で記憶されるようになってもよく、通信回線等を介して送信された種類対応情報が種類対応情報記憶部１６で記憶されるようになってもよく、あるいは、入力デバイスを介して入力された種類対応情報が種類対応情報記憶部１６で記憶されるようになってもよい。種類対応情報記憶部１６での記憶は、ＲＡＭ等における一時的な記憶でもよく、あるいは、長期的な記憶でもよい。種類対応情報記憶部１６は、所定の記録媒体（例えば、半導体メモリや磁気ディスク、光ディスクなど）によって実現されうる。
【００４９】
課金対応情報記憶部１７では、課金対応情報が記憶される。課金対応情報は、領域特定情報と、その領域特定情報で特定される領域に対応する課金金額に関する情報である課金情報とを対応付ける情報である。課金情報は、例えば、課金金額そのものを示す情報であってもよく、課金金額の程度を示す情報であってもよい。後者の場合には、課金情報は、例えば、課金の程度をテキストで示す「高い」「やや高い」「普通」「やや安い」「安い」等であってもよく、あるいは、課金の程度を数値で示す「５」「４」「３」「２」「１」等であってもよい。後者の場合に、数値の大きいほど課金の程度が大きくてもよく、数値の小さいほど課金の程度が大きくてもよい。課金対応情報記憶部１７が記憶している課金対応情報で領域特定情報と対応付けられている課金情報は、後述する課金情報更新部１８によって更新される。なお、課金対応情報記憶部１７での記憶は、ＲＡＭ等における一時的な記憶でもよく、あるいは、長期的な記憶でもよい。課金対応情報記憶部１７は、所定の記録媒体（例えば、半導体メモリや磁気ディスク、光ディスクなど）によって実現されうる。
【００５０】
課金情報更新部１８は、課金対応情報記憶部１７で記憶されている課金対応情報によって領域特定情報に対応付けられている課金情報を、その領域特定情報に変化対応情報で対応付けられている変化情報に応じて更新する。「変化情報に応じて更新する」とは、例えば、変化情報が画像の変化が検出されたことを示す情報である場合に、画像の変化が検出されたことを示す変化情報に対応付けられている領域特定情報に対応する課金情報の課金金額が、画像の変化が検出されたことを示す変化情報に対応付けられていない領域特定情報に対応する課金情報の課金金額よりも多くなるように課金情報を更新することであってもよく、変化情報が検出された画像の変化の回数を示す情報である場合に、画像の変化が多くの回数検出されたことを示す変化情報に対応付けられている領域特定情報に対応する課金情報の課金金額が、画像の変化が少ない回数だけ検出されたことを示す変化情報に対応付けられている領域特定情報に対応する課金情報の課金金額よりも多くなるように、課金情報を更新することであってもよい。なお、課金情報が更新される際に加算される課金金額は、一律に定まっていてもよい。この場合には、例えば、ある領域特定情報に対応する課金情報が更新される際には、その課金情報の課金金額が、一定額（例えば、１０００円等）だけ加算されることになる。したがって、変化情報が変化の回数を示す情報である場合には、その回数にその一定額を掛け合わせた金額を課金情報の課金金額に加算するようにしてもよい。また、課金情報が更新される際に加算される課金金額は、テーブルや数式等によって算出されるものであってもよい。例えば、領域ごと、あるいは、領域のグループごとに加算金額が決められている場合には、その領域を特定する領域特定情報と、加算金額とを対応付けるテーブル等の情報があらかじめ図示しない記録媒体において記憶されており、課金情報更新部１８は、課金情報に対応付けられている領域特定情報に対応する加算金額を特定し、その特定した加算金額だけ課金金額が増加するように課金情報を更新してもよい。また、例えば、課金情報更新部１８は、ある課金情報を更新する場合に、一定の範囲の加算金額をランダムに発生させる数式を用いて、その数式で発生された加算金額だけ課金金額が増加するように課金情報を更新してもよい。
【００５１】
また、課金情報更新部１８は、変化情報が種類情報を含んでいる場合に、変化情報に含まれる種類情報に応じて更新することであってもよい。「種類情報に応じて更新する」とは、例えば、その変化情報に含まれる種類情報に種類対応情報で対応付けられている金額情報の課金金額だけ増加させることであってもよく、種類情報ごとに基準となる金額に掛け合わせる値が設定されており、その種類ごとの値を基準となる金額に掛け合わせた課金金額だけ増加させることであってもよく、あるいは、その他の種類情報に応じた更新であってもよい。なお、本実施の形態では、課金情報更新部１８が、課金対応情報によって領域特定情報に対応付けられている課金情報を、その領域特定情報に変化対応情報で対応付けられている変化情報に含まれる種類情報に応じて更新する場合について説明する。特に、課金情報更新部１８は、課金対応情報によって領域特定情報に対応付けられている課金情報を、その領域特定情報に変化対応情報で対応付けられている変化情報に含まれる種類情報に種類対応情報で対応付けられている金額情報の課金金額だけ増加させる場合について説明する。
【００５２】
なお、課金情報が課金金額を示す情報でなく、課金の程度をテキストや数値で示す情報である場合には、課金情報更新部１８は、その課金情報を、変化情報に応じて更新してもよい。例えば、課金情報の課金の程度が高くなるように課金情報を更新する場合には、課金の程度を示す情報を、１ランクだけ高くなる情報に変更することであってもよい。
【００５３】
課金情報出力部１９は、課金対応情報で領域特定情報と対応付けられている課金情報を出力する。なお、課金情報出力部１９は、少なくとも課金情報を出力するものであればよく、その他の情報を課金情報と一緒に出力してもよい。例えば、課金情報出力部１９は、課金情報と、その課金情報に課金対応情報で対応付けられている領域特定情報とを出力してもよい。また、課金情報出力部１９が出力する課金情報の範囲は問わない。例えば、課金情報出力部１９は、課金対応情報で領域特定情報と対応付けられている全ての課金情報を出力してもよく、一定の範囲の課金情報を出力してもよく、あるいは、特定の１個の課金情報を出力してもよい。例えば、課金情報出力部１９は、図示しない受付部が受け付けた領域特定情報に対応付けられている課金情報のみを出力してもよい。
【００５４】
ここで、この出力は、例えば、表示デバイス（例えば、ＣＲＴや液晶ディスプレイなど）への表示でもよく、所定の機器への通信回線を介した送信でもよく、プリンタによる印刷でもよく、スピーカによる音声出力でもよく、記録媒体への蓄積でもよく、他の構成要素への引き渡しでもよい。なお、課金情報出力部１９は、出力を行うデバイス（例えば、表示デバイスやプリンタなど）を含んでもよく、あるいは含まなくてもよい。また、課金情報出力部１９は、ハードウェアによって実現されてもよく、あるいは、それらのデバイスを駆動するドライバ等のソフトウェアによって実現されてもよい。
【００５５】
なお、蓄積部１２が動画像を蓄積する記録媒体と、変化対応情報記憶部１５と、種類対応情報記憶部１６と、課金対応情報記憶部１７とは、同一の記録媒体によって実現されてもよく、あるいは、別々の記録媒体によって実現されてもよい。前者の場合には、例えば、変化対応情報を記憶している領域が変化対応情報記憶部１５となり、種類対応情報を記憶している領域が種類対応情報記憶部１６となる。
【００５６】
次に、本実施の形態による課金情報出力装置１の動作について、図２のフローチャートを用いて説明する。
（ステップＳ１０１）動画像受付部１１は、動画像を受け付けたかどうか判断する。そして、受け付けた場合には、ステップＳ１０２に進み、そうでない場合には、ステップＳ１０３に進む。なお、動画像受付部１１が、動画像を構成する静止画を順番に受け付ける場合には、ステップＳ１０１において、動画像受付部１１は、静止画を受け付けたかどうか判断してもよい。
【００５７】
（ステップＳ１０２）蓄積部１２は、動画像受付部１１が受け付けた動画像を記録媒体に蓄積する。そして、ステップＳ１０１に戻る。
【００５８】
（ステップＳ１０３）変化検出部１３は、画像の変化を検出するかどうか判断する。そして、検出する場合には、ステップＳ１０４に進み、そうでない場合には、ステップＳ１０５に進む。変化検出部１３は、例えば、所定の期間ごと（例えば、１秒ごと、５秒ごとなど）に画像の変化を検出すると判断してもよく、所定のイベント（例えば、新たな動画像が受け付けられたことや、外部から画像の変化を検出する旨の指示を受け付けたことなど）をトリガーとして画像の変化を検出すると判断してもよい。
【００５９】
（ステップＳ１０４）変化検出部１３は、画像の変化を検出する処理を行い、それに応じて、変化情報蓄積部１４は、変化情報を蓄積する処理を行う。そして、ステップＳ１０１に戻る。この処理の詳細については、図３のフローチャートを用いて後述する。
【００６０】
（ステップＳ１０５）課金情報更新部１８は、課金情報を更新するかどうか判断する。そして、課金情報を更新する場合には、ステップＳ１０６に進み、そうでない場合には、ステップＳ１０７に進む。課金情報更新部１８は、例えば、所定の期間ごと（例えば、１０分や１時間ごとなど）に課金情報を更新すると判断してもよく、所定のイベント（例えば、新たな変化情報が蓄積されたことや、外部から課金情報を更新する旨の指示を受け付けたことなど）をトリガーとして課金情報を更新すると判断してもよい。
【００６１】
（ステップＳ１０６）課金情報更新部１８は、課金情報を更新する。この処理の詳細については、図５のフローチャートを用いて後述する。
【００６２】
（ステップＳ１０７）課金情報出力部１９は、課金情報を出力するかどうか判断する。そして、課金情報を出力する場合には、ステップＳ１０８に進み、そうでない場合には、ステップＳ１０１に戻る。課金情報出力部１９は、例えば、所定の期間ごと（例えば、１０分や１時間ごとなど）に課金情報を出力すると判断してもよく、所定のイベント（例えば、課金情報が更新されたことや、外部から課金情報を出力する旨の指示を受け付けたことなど）をトリガーとして課金情報を出力すると判断してもよい。
【００６３】
（ステップＳ１０８）課金情報出力部１９は、課金情報を出力する。そして、ステップＳ１０１に戻る。
なお、図２のフローチャートにおいて、電源オフや処理終了の割り込みにより処理は終了する。
【００６４】
図３は、図２のフローチャートにおける変化情報の蓄積の処理（ステップＳ１０４の処理）の詳細の一例を示すフローチャートである。
（ステップＳ２０１）変化検出部１３は、カウンタｉを１に設定する。
【００６５】
（ステップＳ２０２）変化検出部１３は、動画像におけるｉ番目の領域に変化があるかどうか判断する。なお、変化検出部１３は、動画像におけるｉ番目の領域の位置を、例えば、領域の区切りを示す情報等を用いて知ることができる。そして、変化がある場合、すなわち、変化が検出された場合には、ステップＳ２０３に進み、そうでない場合には、ステップＳ２０５に進む。
【００６６】
（ステップＳ２０３）変化検出部１３は、動画像におけるｉ番目の領域の変化の種類を特定する。この処理の詳細については、図４のフローチャートを用いて後述する。
【００６７】
（ステップＳ２０４）変化情報蓄積部１４は、ｉ番目の領域を特定する領域特定情報に対応付けて、ｉ番目の領域について検出された変化に関する変化情報を変化対応情報記憶部１５に蓄積する。なお、前述のように、この変化情報の蓄積は、変化情報のみの蓄積であってもよく、あるいは、変化情報と領域特定情報とを対応付ける変化対応情報の蓄積であってもよい。
【００６８】
（ステップＳ２０５）変化検出部１３は、カウンタｉを１だけインクリメントする。
【００６９】
（ステップＳ２０６）変化検出部１３は、動画像の複数の領域に、ｉ番目の領域が存在するかどうか判断する。そして、存在する場合には、ステップＳ２０２に戻り、そうでない場合には、図２のフローチャートに戻る。
【００７０】
なお、後の処理で変化の種類を用いた課金を行わない場合には、図３のフローチャートにおいて、ステップＳ２０３の処理を実行しなくてもよい。
【００７１】
図４は、図３のフローチャートにおける変化の種類の特定の処理（ステップＳ２０３の処理）の詳細の一例を示すフローチャートである。なお、あらかじめ画像のパターンと、種類情報とを対応付ける情報が図示しない記録媒体において記憶されており、変化検出部１３は、その情報を用いて、変化の種類の特定を行うものとする。なお、このフローチャートにおいて、変化の種類の特定の処理は、種類情報の特定の処理であるとする。
【００７２】
（ステップＳ３０１）変化検出部１３は、カウンタｊを１に設定する。
【００７３】
（ステップＳ３０２）変化検出部１３は、変化の検出された領域の画像が、あらかじめ記憶されているｊ番目の画像のパターンに一致するかどうか判断する。そして、一致する場合には、ステップＳ３０６に進み、そうでない場合には、ステップＳ３０３に進む。なお、一致するかどうかの判断は、前述のように、例えば、完全一致の判断であってもよく、類似度がしきい値以上であるかどうかの判断であってもよい。
【００７４】
（ステップＳ３０３）変化検出部１３は、カウンタｊを１だけインクリメントする。
【００７５】
（ステップＳ３０４）変化検出部１３は、ｊ番目の画像のパターンが存在するかどうか判断する。そして、存在する場合には、ステップＳ３０２に戻り、そうでない場合には、ステップＳ３０５に進む。
【００７６】
（ステップＳ３０５）変化検出部１３は、変化の検出された領域に対応する種類情報として、「その他」を特定する。なお、変化検出部１３は、この特定した種類情報「その他」を、図示しない記録媒体において一時的に記憶してもよい。そして、図３のフローチャートに戻る。
【００７７】
（ステップＳ３０６）変化検出部１３は、変化の検出された領域に対応する種類情報として、ｊ番目の画像のパターンに対応する種類情報を特定する。なお、変化検出部１３は、この特定した種類情報を、図示しない記録媒体において一時的に記憶してもよい。そして、図３のフローチャートに戻る。
【００７８】
図５は、図２のフローチャートにおける課金情報の更新の処理（ステップＳ１０６の処理）の詳細を示すフローチャートである。
（ステップＳ４０１）課金情報更新部１８は、カウンタｉを１に設定する。
【００７９】
（ステップＳ４０２）課金情報更新部１８は、動画像におけるｉ番目の領域に対応する課金情報の更新を行うかどうか判断する。そして、課金情報の更新を行う場合には、ステップＳ４０３に進み、課金情報の更新を行わない場合には、ステップＳ４０９に進む。なお、課金情報更新部１８は、ｉ番目の領域を特定する領域特定情報に対応付けられた変化情報において、課金情報を更新する処理を行っていない変化情報が存在するのであれば、課金情報の更新を行うと判断し、そうでないのであれば、課金情報の更新を行わないと判断してもよい。
【００８０】
（ステップＳ４０３）課金情報更新部１８は、カウンタｊを１に設定する。
【００８１】
（ステップＳ４０４）課金情報更新部１８は、ｉ番目の領域を特定する領域特定情報に対応付けられているｊ番目の変化情報を用いて課金金額の算出を行う。例えば、課金金額が一定である場合には、この処理は、その課金金額を図示しない記録媒体から読み出すことであってもよい。また、例えば、変化情報に種類情報が含まれている場合には、この処理は、その種類情報に種類対応情報で対応付けられる金額情報の課金金額を取得することであってもよい。また、その他の数式を用いた課金金額の算出や、テーブル等を用いて課金金額の算出を行ってもよい。
【００８２】
（ステップＳ４０５）課金情報更新部１８は、ステップＳ４０４で算出した課金金額を図示しない記録媒体において一時的に記憶する。
【００８３】
（ステップＳ４０６）課金情報更新部１８は、カウンタｊを１だけインクリメントする。
【００８４】
（ステップＳ４０７）課金情報更新部１８は、ｉ番目の領域を特定する領域特定情報に対応付けられているｊ番目の変化情報が存在するかどうか判断する。そして、存在する場合には、ステップＳ４０４に戻り、そうでない場合には、ステップＳ４０８に進む。
【００８５】
（ステップＳ４０８）課金情報更新部１８は、ステップＳ４０５で一時記憶した課金金額の合計金額を算出し、その合計金額を、ｉ番目の領域を特定する領域特定情報に対応付けられている課金情報の課金金額に加算するように、その課金情報を更新する。なお、この後に、ステップＳ４０５で一時的に記憶した１以上の課金金額をクリヤする（０にする）ようにしてもよい。
【００８６】
（ステップＳ４０９）課金情報更新部１８は、カウンタｉを１だけインクリメントする。
【００８７】
（ステップＳ４１０）課金情報更新部１８は、動画像にｉ番目の領域が存在するかどうか判断する。そして、存在する場合には、ステップＳ４０２に戻り、そうでない場合には、図２のフローチャートに戻る。
【００８８】
なお、図５のフローチャートにおいて、ｉ番目の領域を特定する領域特定情報に対応付けられている変化情報が１個であるという前提がある場合には、ステップＳ４０３〜Ｓ４０７において、複数の変化情報について課金金額を算出する処理を繰り返さなくてもよく、１回だけ課金金額を算出する処理を行えばよいことになる。
【００８９】
また、図５のフローチャートのステップＳ４０５において、課金金額を一時記憶するのではなく、その課金金額だけ加算するように課金情報を更新してもよい。この場合には、ステップＳ４０８における課金情報の更新処理を行わなくてもよい。
【００９０】
次に、本実施の形態による課金情報出力装置１の動作について、具体例を用いて説明する。
この具体例では、野球についての動画像が撮影され、その動画像を用いた変化の検出等の処理が行われる場合について説明する。また、この具体例では、変化検出部１３の有する図示しない記録媒体において、図６で示される種類情報と、画像のパターンとを対応付ける情報であるパターン対応情報が記憶されているものとする。図６で示されるパターン対応情報において、種類情報「用具変化」と、用具としてのボールの画像のパターンとが対応付けられておる。なお、画像のパターンとして、画像を示しているが、これは説明の便宜上であって、実際には、画像のパターンは画像データとなる。この具体例では、変化検出部１３は、このパターン対応情報を用いて、種類情報の特定をも行うものとする。したがって、変化情報に種類情報が含まれることになる。
【００９１】
また、この具体例では、種類対応情報記憶部１６において、図７で示される種類対応情報が記憶されているものとする。図７で示される種類対応情報において、種類情報と、金額情報とが対応付けられている。
【００９２】
また、この具体例では、動画像は、野球場の動画像であるとする。そして、変化検出部１３は、図示しない記録媒体で記憶されている、図８で示される、選手や審判の存在しない野球場の画像を参照画像として、画像の変化を検出するものとする。なお、その野球場において、図９の破線で示されるように、正方格子状に複数の領域に区切られているものとする。そして、その複数の領域ごとに、領域特定情報が設定されているものとする。図１０は、その領域特定情報と、各領域の頂点の座標（頂点の４個の座標）を示す座標情報とを対応付ける領域情報の一例を示す図である。この領域情報は、課金情報出力装置１の図示しない記録媒体において記憶されていてもよい。座標情報は、画像におけるピクセルの位置を示す情報であるとする。図１０の領域情報を参照することによって、図９で示される各領域の位置と、その領域を特定する領域特定情報とについて知ることができる。また、この具体例では、変化検出部１３が５秒ごとに画像の変化の検出処理を行うものとする。
【００９３】
また、この具体例では、各領域が販売されるものとする。そして、その販売金額が、課金情報出力装置１によって算出されることになる。例えば、多くの野球選手が入った領域や、多くのボールが入った領域の課金金額が、あまり多くの野球選手が入っていない領域や、あまり多くのボールが入っていない領域の課金金額よりも高くなるように算出されることになる。そして、野球のシーズンが終了した後に、各領域を購入した者は、その領域の芝や土等を受け取ることができるようにしてもよい。なお、各領域の売買自体は金額を決定しないままシーズン開始前に行われ、シーズン終了後に、課金情報出力装置１が算出した課金情報の示す金額の支払いがなされるようにしてもよく、あるいは、各領域の売買自体が、シーズン終了後に課金情報出力装置１が算出した課金情報の示す金額によってなされてもよい。
【００９４】
野球の試合が始まると、撮影者の指示によってカメラによる撮影が開始され、それに応じて動画像受付部１１がカメラによって撮影された動画像を受け付け（ステップＳ１０１）、蓄積部１２がその動画像を記録媒体に蓄積する（ステップＳ１０２）。なお、この動画像の受け付けと、動画像の蓄積との処理は、カメラによる撮影がなされている限り、繰り返し実行されるものとする。
【００９５】
次に、変化検出部１３は、動画像の蓄積が開始されてから５秒経過した時点で、画像の変化の検出を行うと判断する（ステップＳ１０３）。そして、画像の変化を検出する処理と、変化情報を蓄積する処理とが行われることになる（ステップＳ１０４）。具体的には、変化検出部１３は、図８で示される参照画像と、図１１で示される最新の画像とを用いて、複数の領域ごとに変化の検出を行う。すなわち、変化検出部１３は、図１０の領域情報の１番目のレコードに含まれる座標情報で各頂点の座標が示される１番目の領域について、図８の参照画像と、図１１で示される最新の画像とを比較し、その領域に変化があるかどうか判断する（ステップＳ２０１，Ｓ２０２）。この場合には、変化がなかったとする。すると、変化検出部１３は、図１０の領域情報の２番目のレコードに含まれる座標情報で各頂点の座標が示される２番目の領域について、同様の判断を行う（ステップＳ２０５，Ｓ２０６，Ｓ２０２）。この場合には、変化があったとする。すると、変化検出部１３は、その領域における変化の種類を特定する処理を行う（ステップＳ２０３）。
【００９６】
具体的には、変化検出部１３は、その領域の画像が、図６のパターン対応情報における１番目の画像のパターンと一致するかどうか判断する（ステップＳ３０１，Ｓ３０２）。この場合には、両者の類似度があらかじめ設定されたしきい値以上であり、両者が一致すると判断されたとする。すると、変化検出部１３は、図６のパターン対応情報における１番目の画像のパターンに対応する種類情報「用具変化」を取得し、変化の検出された領域に対応する種類情報として、図示しない記録媒体に一時的に記憶する（ステップＳ３０６）。
【００９７】
また、変化検出部１３は、図１０の領域情報の２番目のレコードから変化のあった領域を特定する領域特定情報「Ａ００２」を取得し、一時的に記憶した種類情報「用具変化」と、取得した領域特定情報「Ａ００２」とを変化情報蓄積部１４に渡す。すると、変化情報蓄積部１４は、受け取った種類情報と、その時点での日時情報「２００８年６月６日１８：００」とを含む変化情報を構成し、その変化情報と、受け取った領域特定情報とを対応付ける変化対応情報を変化対応情報記憶部１５に蓄積する（ステップＳ２０４）。図１２の４番目のレコードは、そのようにして蓄積された変化対応情報を示すものである。変化検出部１３は、日時情報を、例えば、図示しないカレンダー部から受け取ってもよい。
【００９８】
なお、このように、変化の検出と、変化情報の蓄積との処理（ステップＳ１０３，Ｓ１０４）が順次繰り返されることによって、試合の終了した時点において、変化対応情報が図１２で示されるようになっていたとする。
【００９９】
試合が終了した時点において、課金情報出力装置１のオペレータが、課金情報を出力する指示を入力したとする。すると、その入力が図示しない受付部において受け付けられ、課金情報更新部１８は、課金情報を更新するタイミングであると判断し（ステップＳ１０５）、課金情報を更新する処理を開始する（ステップＳ１０６）。
【０１００】
具体的には、課金情報更新部１８は、図１２で示される変化対応情報を参照し、１番目の領域を特定する領域特定情報、すなわち、図１０の１番目のレコードに含まれる領域特定情報「Ａ００１」を取得し、その領域特定情報を含む変化対応情報が存在するかどうか判断する（ステップＳ４０１，Ｓ４０２）。図１２では、１番目から３番目のレコードに領域特定情報「Ａ００１」が含まれるため、課金情報更新部１８は、それらの変化対応情報を用いて１番目の領域への課金を行うと判断する。そして、課金情報更新部１８は、まず、図１２の変化対応情報の１番目のレコードから、種類情報「用具変化」を読み出し、その種類情報を検索キーとして、図７で示される種類対応情報の検索を行う。この場合には、１番目のレコードがヒットするため、課金情報更新部１８は、その１番目のレコードから金額情報「５００」を読み出して（ステップＳ４０３，Ｓ４０４）、図示しない記録媒体において、一時的に記憶する（ステップＳ４０５）。また、課金情報更新部１８は、図１２の変化対応情報の２番目のレコードについても、種類情報「その他」を読み出し、その種類情報に対応する金額情報「１０００」を読み出して、図示しない記録媒体で一時的に記憶する（ステップＳ４０６，Ｓ４０７，Ｓ４０４〜Ｓ４０５）。さらに、課金情報更新部１８は、図１２の変化対応情報の３番目のレコードについても、種類情報「その他」を読み出して、その種類情報に対応する金額情報「１０００」を読み出して、図示しない記録媒体で一時的に記憶する（ステップＳ４０６，Ｓ４０７，Ｓ４０４〜Ｓ４０５）。
【０１０１】
その後、課金情報更新部１８は、一時的に記憶されている金額情報の示す金額「５００」「１０００」「１０００」の合計である「２５００」を算出する。そして、図１０の１番目のレコードから取得した領域特定情報「Ａ００１」に対応する課金情報の示す課金金額に、その算出した「２５００」を加算する処理を行う。図１３は、その加算前の課金対応情報である。すなわち、前回の試合の終了した時点において、課金情報の更新の行われた後の課金対応情報が、図１３で示されるものとなる。課金情報更新部１８が図１３で示される課金対応情報において、領域対応情報「Ａ００１」に対応する課金情報の課金金額に、「２５００」を加算することによって、課金対応情報は図１４で示されるように更新される（ステップＳ４０８）。その後、課金情報更新部１８によって、領域対応情報「Ａ００２」等に対応する課金情報も順次、更新されることになる。
【０１０２】
全ての課金情報の更新が終了すると、課金情報出力部１９は、課金情報を出力するタイミングであると判断し（ステップＳ１０７）、課金対応情報記憶部１７で記憶されている課金対応情報を読み出して図示しない表示部に表示する（ステップＳ１０８）。その結果、課金情報出力装置１のオペレータは、２００８年６月６日時点における課金対応情報の状況を知ることができる。
【０１０３】
なお、この具体例では、１試合に１回の課金情報の更新を行う場合について説明したが、１試合に２回以上、課金情報の更新を行ってもよい。その場合には、課金情報の更新を行った時点において、その更新で用いた変化対応情報を削除してもよく、あるいは、その更新で用いた変化対応情報に対応付けて、すでに用いた旨のフラグ等を設定することによって、後の課金情報の更新では、その変化対応情報を用いないようにしてもよい。
【０１０４】
また、図１０の領域情報では、各領域の頂点の４個の座標を用いて各領域の位置を示す場合について説明したが、そうでなくてもよい。例えば、各領域の方向や形状等が決まっているのであれば、各領域の対角の頂点の２個の座標を用いて各領域の位置を示してもよく、各領域の特定の頂点の１個の座標を用いて各領域の位置を示してもよい。
【０１０５】
以上のように、本実施の形態による課金情報出力装置１によれば、動画像の各領域について検出された変化に応じて、その各領域に対応する課金情報を更新することができる。その結果、例えば、多くの変化のあった領域については、より多くの課金を行い、あまり変化のなかった領域については、あまり課金を行わないことなどによって、各領域について適切な課金を行うことができる。
【０１０６】
なお、本実施の形態では、課金情報更新部１８が種類対応情報を用いて課金情報の更新を行う場合について主に説明したが、課金情報更新部１８は種類対応情報を用いないで課金情報の更新を行ってもよいことは、前述の通りである。その場合には、課金情報出力装置１は、種類対応情報記憶部１６を備えていなくてもよい。
【０１０７】
また、本実施の形態では、変化対応情報によって領域特定情報と対応付けられる変化情報が種類情報を含んでいる場合について主に説明したが、変化情報は、種類情報を含んでいなくてもよい。その場合には、課金情報更新部１８は、種類情報を用いないで課金情報の更新を行ってもよい。
【０１０８】
また、本実施の形態では、動画像がスポーツに関する動画像である場合について説明したが、それ以外の動画像であってもよいことは言うまでもない。また、変化の種類がプレーヤ変化と、用具変化である場合について説明したが、その変化の種類についても、これらに限定されるものでないことはいうまでもない。
【０１０９】
また、本実施の形態では、変化情報蓄積部１４が変化対応情報を変化対応情報記憶部１５に蓄積する場合について主に説明したが、前述のように、変化情報蓄積部１４は、変化情報のみを変化対応情報記憶部１５に蓄積するものであってもよい。例えば、変化情報蓄積部１４は、ある領域において変化が検出された場合に、その領域を特定する領域特定情報に対応付けられている変化情報の変化の回数が１だけインクリメントされるように、変化情報を更新してもよい。このように、変化情報の更新も、変化情報の蓄積に含まれるものとする。
【０１１０】
また、変化対応情報記憶部１５で記憶されている変化対応情報や、課金対応情報記憶部１７で記憶されている課金対応情報は、動画像に含まれる全ての領域に対応する情報であってもよく、あるいは、そうでなくてもよい。後者の場合には、例えば、ある領域のみの変化対応情報や課金対応情報がそれらの記憶部において記憶されていてもよい。
【０１１１】
また、変化対応情報記憶部１５での変化対応情報の記憶や、課金対応情報記憶部１７での課金対応情報の記憶は、一時的な記憶であってもよい。その場合には、例えば、ある時点における動画像で検出された変化に応じた変化対応情報が変化対応情報記憶部１５において一時的に記憶され、その一時的に記憶された変化対応情報を用いて課金情報更新部１８によって課金対応情報で領域特定情報に対応付けられている課金情報が更新され、その課金情報が出力された後に、変化対応情報記憶部１５で記憶されている変化対応情報や、課金対応情報記憶部１７で記憶されている課金対応情報が消去されたり、上書きされたりしてもよい。
【０１１２】
また、課金情報の更新は、一般に課金情報の課金金額や課金の程度が高くなるようになされるものであるが、課金情報更新部１８は、課金情報の課金金額や課金の程度が低くなるように更新を行ってもよい。例えば、全ての領域についてあらかじめ一定の金額（例えば、１万円など）を課金しておき、変化の検出されたことを示す変化情報に対応付けられていない領域特定情報に対応する課金情報については減額するようにしてもよい。その減額は、例えば、野球の場合には試合ごとに５００円を減額する、というものでもよい。なお、課金情報の示す課金金額が「０円」になった時点で、その減額を行わないようにしてもよい。また、例えば、ある領域であらかじめ決められている画像の変化が検出された場合には、課金情報更新部１８は、その領域に対応する課金情報の示す課金金額がゼロとなるように課金情報の更新を行ってもよい。より具体的には、野球の試合の際に、ある領域に風船の入ったことがパターンマッチング等によって検出された際には、課金情報更新部１８は、その領域に対応する課金情報の課金金額がゼロとなるように課金情報を更新してもよい。このようにすることで、例えば、課金金額がゼロになる可能性があるため、各領域を購入した、あるいは、購入する者の興趣をそそるようにすることができ、その結果として、各領域を購入する者の数を増やすことができうる。なお、課金情報をゼロにする条件は、上記の説明に限定されるものではなく、例えば、あるチームの全ての選手が１回の試合でその領域を踏んだことであってもよく、全てのチームの４番打者が１回のシーズン中にその領域を踏んだことであってもよく、その他の条件であってもよい。課金情報更新部１８は、ある領域についてその条件が満たされた場合には、その領域に対応する課金情報がゼロになるように更新してもよい。さらに、ある領域について、あらかじめ決められている条件が満たされた場合には、課金情報更新部１８は、その領域に対応する課金情報をマイナスの課金金額となるように更新してもよい。この場合には、購入者に対して支払がなされることになる。
【０１１３】
また、複数の領域は、一般的に平面上の領域、例えば、野球場やサッカー場等のフィールド等の平面上の領域であってもよく、あるいは、その平面の上方の空間も含む領域であってもよい。後者の場合には、例えば、変化検出部１３は、視差を有する２以上のカメラで撮影された動画像の変化から、ある領域の鉛直方向の上方の空間の領域で発生した変化を検知し、その変換を検知した場合に、その領域について画像の変化が発生したことを検出するようにしてもよい。このようにすることで、例えば、ボールが上空を通過した領域について、変化の発生を検出することができるようになる。なお、視差を有する２以上のカメラで撮影された画像を用いて、撮影対象のオブジェクト（例えば、ボールや選手など）がどの領域の上方に位置しているのかを検出する方法は公知であり、詳細な説明を省略する。
【０１１４】
また、動画像が各領域の鉛直上方から撮影されているのでない場合、例えば、横方向から撮影している場合には、その動画像のみを用いて各領域の変化を検出していると、ある領域の鉛直上方で発生したのではない変化も、その領域での変化として検出することになる。例えば、動画像において、ある選手が実際に通過した領域（例えば、その選手が足で踏んだ領域）の近傍の領域を、その選手の頭の部分が通過した場合には、その選手が実際に通過した領域の近傍の領域については、選手が実際には通過していない（例えば、その選手が足で踏んでいない）にもかかわらず、変化が検出されることになる。その場合に、その変化をも検出するようにしてもよく、あるいは、２以上の動画像を用いることや、各領域の鉛直上方からの動画像のみを用いることなどによって、ある領域の鉛直上方で発生した変化のみを、その領域の変化として検出するようにしてもよい。
【０１１５】
また、本実施の形態において、動画像が２以上のカメラによって撮影されたものである場合には、一のフィールド（例えば、一の野球場や一のサッカー場等）が２以上のカメラによって撮影されたものであってもよい。
【０１１６】
また、本実施の形態において、変化検出部１３は、各領域で発生する画像の変化によって各領域に出現しうる画像のパターンを図示しない記録媒体において保持しており、ある領域において、その保持している画像のパターン（例えば、ボールや選手の画像のパターンであってもよい）と一致するオブジェクトを検出した場合に、その領域における画像の変化を検出してもよい。この一致は、完全一致であってもよく、類似度がしきい値以上であることであってもよい。
【０１１７】
（実施の形態２）
本発明の実施の形態２による課金情報出力装置について、図面を参照しながら説明する。本実施の形態による課金情報出力装置は、変化に関する情報である変化送信情報を送信するものである。
【０１１８】
図１５は、本実施の形態による課金情報出力装置２の構成を示すブロック図である。本実施の形態による課金情報出力装置２は、動画像受付部１１と、蓄積部１２と、変化検出部１３と、変化情報蓄積部１４と、変化対応情報記憶部１５と、種類対応情報記憶部１６と、課金対応情報記憶部１７と、課金情報更新部１８と、課金情報出力部１９と、送信先対応情報記憶部２１と、送信部２２とを備える。なお、送信先対応情報記憶部２１、及び送信部２２以外の構成及び動作は、実施の形態１と同様であり、その説明を省略する。
【０１１９】
送信先対応情報記憶部２１では、送信先対応情報が記憶される。送信先対応情報は、領域を特定する情報である領域特定情報と、情報の送信先を示す情報である送信先情報とを対応付ける情報である。
【０１２０】
送信先対応情報記憶部２１に送信先対応情報が記憶される過程は問わない。例えば、記録媒体を介して送信先対応情報が送信先対応情報記憶部２１で記憶されるようになってもよく、通信回線等を介して送信された送信先対応情報が送信先対応情報記憶部２１で記憶されるようになってもよく、あるいは、入力デバイスを介して入力された送信先対応情報が送信先対応情報記憶部２１で記憶されるようになってもよい。送信先対応情報記憶部２１での記憶は、ＲＡＭ等における一時的な記憶でもよく、あるいは、長期的な記憶でもよい。送信先対応情報記憶部２１は、所定の記録媒体（例えば、半導体メモリや磁気ディスク、光ディスクなど）によって実現されうる。
【０１２１】
送信部２２は、変化検出部１３が画像の変化を検出した領域について、その変化に関する情報である変化送信情報を送信する。送信部２２は、変化検出部１３が画像の変化を検出した領域ごとに異なる送信先に変化送信情報を送信してもよく、そうでなくてもよい。前者の場合には、送信部２２は、変化検出部１３が画像の変化を検出した領域を特定する領域特定情報に送信先対応情報によって対応付けられている送信先情報の示す送信先に、変化送信情報を送信してもよい。本実施の形態では、この場合について説明する。後者の場合には、送信部２２は、例えば、全ての領域について同じ送信先に変化送信情報を送信してもよい。また、送信部２２は、変化検出部１３が画像の変化を検出した領域ごとに異なる変化送信情報を送信してもよく、そうでなくてもよい。本実施の形態では、前者の場合について説明する。
【０１２２】
変化送信情報は、例えば、画像の変化が検出されたことを示す情報を含んでもよく、画像の変化が検出された領域の画像（この画像は、静止画でもよく、動画像でもよい）を含んでもよく、画像の変化の内容に関する情報（例えば、選手が領域に入ったことを示す情報や、ボールが領域に入ったことを示す情報など）を含んでもよく、画像の変化が検出された領域を特定する領域特定情報に課金対応情報で対応付けられている課金情報を含んでもよい。
【０１２３】
変化送信情報が、画像の変化が検出されたことを示す情報である場合には、その変化送信情報があらかじめ図示しない記録媒体において記憶されており、送信部２２は、その変化送信情報を読み出して送信してもよい。また、変化送信情報が、画像の変化が検出された領域の画像である場合には、送信部２２は、蓄積部１２が動画像を蓄積した記録媒体からその画像を読み出して送信してもよい。その際に、タイムコード等を用いて変化の検出された時点の画像を読み出してもよく、そうでなくてもよい（例えば、変化が検出された直後に変化送信情報としての画像を読み出す場合には、あまりタイムラグが発生しないと考えられるため、その読み出し時点で最新の画像を読み出してもよい）。また、変化送信情報が、画像の変化の内容に関する情報である場合には、送信部２２は、例えば、変化検出部１３によって特定された種類情報を読み出して送信してもよい。なお、画像の変化の内容に関する情報である変化送信情報を送信する場合には、送信部２２は、種類情報そのものを変化送信情報とするのではなく、種類情報に対応付けられている変化送信情報を読み出して送信してもよい。例えば、種類情報「用具変化」と、変化送信情報「用具が入りました」や「ボールが入りました」とが対応付けられており、送信部２２は、変化の検出された領域を特定する領域特定情報に対応する変化情報に含まれる種類情報を取得し、その種類情報に対応付けられている変化送信情報を読み出して送信してもよい。また、変化送信情報が、課金情報を含む場合には、送信部２２は、変化の検出された領域を特定する領域特定情報に課金対応情報で対応付けられている課金情報を読み出して、その課金情報を変化送信情報に含めて送信してもよい。また、変化送信情報は、その他の情報であってもよい。
【０１２４】
なお、送信部２２は、送信を行うための送信デバイス（例えば、モデムやネットワークカードなど）を含んでもよく、あるいは含まなくてもよい。また、送信部２２は、ハードウェアによって実現されてもよく、あるいは送信デバイスを駆動するドライバ等のソフトウェアによって実現されてもよい。
【０１２５】
次に、本実施の形態による課金情報出力装置２の動作について、図１６のフローチャートを用いて説明する。図１６のフローチャートにおいて、ステップＳ５０１，Ｓ５０２以外の処理は、実施の形態１の図２のフローチャートと同様であり、その説明を省略する。
【０１２６】
（ステップＳ５０１）送信部２２は、変化送信情報を送信するかどうか判断する。そして、送信する場合には、ステップＳ５０２に進み、そうでない場合には、ステップＳ１０１に戻る。なお、送信部２２は、例えば、変化が検出されたタイミングで変化送信情報を送信すると判断してもよく、変化が検出された直後に課金情報が更新される場合には、変化が検出されて課金情報が更新されたタイミングで変化送信情報を送信すると判断してもよい。
【０１２７】
（ステップＳ５０２）送信部２２は、変化の検出された領域に対応する変化送信情報を構成する。そして、送信部２２は、送信先対応情報を用いて、その領域を特定する領域特定情報に対応付けられている送信先情報を取得し、その送信先情報の示す送信先に変化送信先情報を送信する。なお、２以上の領域において画像の変化が検出された場合には、各領域について、変化送信情報を送信する処理を行ってもよい。そして、ステップＳ１０１に戻る。
【０１２８】
次に、本実施の形態による課金情報出力装置２の動作について、具体例を用いて説明する。この具体例では、図１７で示されるように、課金情報出力装置２と、２以上の端末装置３とが有線または無線の通信回線５００を介して接続されているものとする。端末装置３は、例えば、ＰＣ（Ｐｅｒｓｏｎａｌ  Ｃｏｍｐｕｔｅｒ）であってもよく、携帯電話であってもよく、ＰＤＡ（Ｐｅｒｓｏｎａｌ  Ｄｉｇｉｔａｌ  Ａｓｓｉｓｔａｎｔ）等の情報処理端末であってもよい。通信回線５００は、例えば、インターネットやイントラネット、公衆電話回線網等である。
【０１２９】
また、この具体例では、送信先対応情報記憶部２１において、図１８で示される送信先対応情報が記憶されているものとする。図１８の送信先対応情報において、領域特定情報と、送信先情報とが対応付けられている。送信先情報は、端末装置３に対応する電子メールアドレスであるとする。
【０１３０】
また、この具体例では、変化送信情報に、変化の検出された領域の画像と課金情報とが含まれるものとする。また、この具体例でも、実施の形態１の具体例と同様に、動画像は、野球場の動画像であるとする。また、この具体例では、変化が検出されるごとに、課金情報が更新され、その課金情報の更新されたタイミングで、変化送信情報が送信されるものとする。
【０１３１】
なお、変化対応情報記憶部１５に、図１９で示されるように、２００８年６月６日１８時０分５秒に領域特定情報「Ａ００２」で特定される領域で検出された変化に関する変化情報を含む変化対応情報が蓄積されるまでの処理は、実施の形態１の具体例と同様であるとする。なお、１８時０分の時点において、他の領域においても変化が検出され、変化対応情報が蓄積されているものとする。また、この具体例では、日時情報に秒の情報も含まれるものとする（図中の日時情報では、「時」「分」「秒」をコロンで区切って表示している）。
【０１３２】
課金情報更新部１８は、変化情報が更新されたことを検知すると、課金情報を更新すると判断し（ステップＳ１０５）、課金情報を更新する処理を開始する（ステップＳ１０６）。具体的には、課金情報更新部１８は、図１９で示される変化対応情報を参照し、１番目の領域の領域特定情報「Ａ００１」を含む変化対応情報は存在しないため（ステップＳ４０１〜Ｓ４０２）、２番目の領域の領域特定情報「Ａ００２」を含む変化対応情報が存在するかどうか判断する（ステップＳ４０９，Ｓ４１０，Ｓ４０２）。図１９では、１番目のレコードに領域特定情報「Ａ００２」が含まれるため、課金情報更新部１８は、その変化対応情報を用いて２番目の領域への課金を行うと判断する。そして、課金情報更新部１８は、まず、図１９の変化対応情報の１番目のレコードから、種類情報「用具変化」を読み出し、それに対応する金額情報「５００」を種類対応情報から読み出して（ステップＳ４０３，Ｓ４０４）、図示しない記録媒体において一時的に記憶する（ステップＳ４０５）。
【０１３３】
その後、課金情報更新部１８は、一時的に記憶されている金額情報の示す金額「５００」の合計である「５００」を算出する。そして領域特定情報「Ａ００２」に対応する課金情報の示す課金金額に、その算出した「５００」を加算する処理を行う。その加算前の課金対応情報は、実施の形態１の具体例と同様に、図１３で示されるものであるとする。すると、課金情報更新部１８は、図１３で示される課金対応情報において、領域対応情報「Ａ００２」に対応する課金情報の課金金額に、「５００」を加算することによって、課金対応情報を更新する。その結果、課金対応情報は、図２０で示されるように更新される（ステップＳ４０８）。その後、課金情報更新部１８によって、その他の課金情報も適宜、更新されることになる。
【０１３４】
送信部２２は、課金情報を更新する一連の処理が終了した時点において、変化送信情報を送信するタイミングであると判断する（ステップＳ５０１）。そして、送信部２２は、図１９で示される変化対応情報を参照し、その変化対応情報から領域特定情報「Ａ００２」を読み出して、その領域特定情報「Ａ００２」に対応する変化送信情報を構成する。具体的には、送信部２２は、図１９において、領域特定情報「Ａ００２」と対応付けられている変化情報から日時情報「１８：００：０５」を取得し、その日時情報に対応する領域特定情報「Ａ００２」で特定される領域の画像を、蓄積部１４が動画像を蓄積した記録媒体から取得する。すなわち、送信部２２は、領域特定情報「Ａ００２」に対応する座標情報「（Ｘ３，Ｙ３），（Ｘ５，Ｙ５），（Ｘ６，Ｙ６），（Ｘ４，Ｙ４）」を図１０の領域情報から読み出し、日時情報「１８：００：０５」に対応する画像から、その座標情報で示される領域の画像を取得する。また、送信部２２は、図２０で示される課金対応情報を参照し、その領域特定情報「Ａ００２」に対応する課金情報「７５００」を取得する。そして、画像と課金情報とを含む変化送信情報を構成する。
【０１３５】
また、送信部２２は、図１８で示される送信先対応情報を参照し、その領域特定情報「Ａ００２」に対応する送信先情報「ｘｙｚ＠...．ｍｏｂｉｌｅ．ｎｅ．ｊｐ」を取得する。そして、送信部２２は、その送信先情報を送信先として、構成した変化送信情報を含む電子メールを送信する（ステップＳ５０２）。なお、他の変化の検出された領域についても、変化送信情報を送信する処理が行われてもよい。また、送信部２２は、変化送信情報の送信後に、変化送信情報を送信する処理を行った領域を特定する領域特定情報を含む変化対応情報を、変化対応情報記憶部１５から削除する処理を行ってもよい。
【０１３６】
課金情報出力装置２から送信された電子メールは、端末装置３で受信され、図２１で示されるように変化送信情報が表示される。その結果、端末装置３のユーザは、自らが購入した、あるいは、購入する領域の画像を見ることができ、その領域で起こったこと（図２１では、ボールがその領域に入ったこと）を知ることができる。また、その時点での課金金額についても知ることができる。
【０１３７】
また、この具体例では、各領域に対して一の送信先が設定されている場合について説明したが、各領域に対して２以上の送信先が設定されていてもよい。例えば、２以上の者が各領域を購入することができる場合には、各領域に対して、その領域を購入した２以上の者にそれぞれ対応する２以上の送信先が設定されていてもよい。
【０１３８】
以上のように、本実施の形態による課金情報出力装置２によれば、動画像の各領域について検出された変化に応じて、その各領域に対応する課金情報を更新することができると共に、変化の検出された領域について、その変化に関する変化送信情報を送信することができる。その結果、各領域に対応する者は、各領域において変化が発生した場合に、その変化の発生した旨や、その変化の内容、その領域に対応する課金情報等について知りうることになる。また、各領域の変化が検出された場合に、その領域に応じた送信先に、変化送信情報を送信することにより、あらかじめ登録されている者に対して、領域において変化の発生したことを連絡することが可能となる。
【０１３９】
なお、本実施の形態では、送信部２２が、領域ごとに異なる送信先に変化送信情報を送信する場合について主に説明したが、そうでなくてもよい。その場合には、課金情報出力装置２は、送信先対応情報記憶部２１を備えていなくてもよい。また、その場合には、あらかじめ変化送信情報の送信先を示す情報を保持しており、その送信先に対して変化送信情報を送信してもよい。
【０１４０】
また、上記各実施の形態では、課金情報出力装置１、２がスタンドアロンである場合について説明したが、課金情報出力装置１、２は、スタンドアロンの装置であってもよく、サーバ・クライアントシステムにおけるサーバ装置であってもよい。後者の場合には、出力部や受付部は、通信回線を介して入力を受け付けたり、情報を出力したりしてもよい。
【０１４１】
また、上記各実施の形態において、各処理または各機能は、単一の装置または単一のシステムによって集中処理されることによって実現されてもよく、あるいは、複数の装置または複数のシステムによって分散処理されることによって実現されてもよい。
【０１４２】
また、上記各実施の形態において、各構成要素が実行する処理に関係する情報、例えば、各構成要素が受け付けたり、取得したり、選択したり、生成したり、送信したり、受信したりした情報や、各構成要素が処理で用いるしきい値や数式、アドレス等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【０１４３】
また、上記各実施の形態において、各構成要素等で用いられる情報、例えば、各構成要素が処理で用いるしきい値やアドレス、各種の設定値等の情報がユーザによって変更されてもよい場合には、上記説明で明記していない場合であっても、ユーザが適宜、それらの情報を変更できるようにしてもよく、あるいは、そうでなくてもよい。それらの情報をユーザが変更可能な場合には、その変更は、例えば、ユーザからの変更指示を受け付ける図示しない受付部と、その変更指示に応じて情報を変更する図示しない変更部とによって実現されてもよい。その図示しない受付部による変更指示の受け付けは、例えば、入力デバイスからの受け付けでもよく、通信回線を介して送信された情報の受信でもよく、所定の記録媒体から読み出された情報の受け付けでもよい。
【０１４４】
また、上記各実施の形態において、課金情報出力装置１、２に含まれる２以上の構成要素が通信デバイスや入力デバイス等を有する場合に、２以上の構成要素が物理的に単一のデバイスを有してもよく、あるいは、別々のデバイスを有してもよい。
【０１４５】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。なお、上記実施の形態における課金情報出力装置１を実現するソフトウェアは、以下のようなプログラムである。つまり、このプログラムは、コンピュータを、複数の領域を撮影した動画像を受け付ける動画像受付部と、前記動画像受付部が受け付けた動画像を蓄積する蓄積部と、前記蓄積部が蓄積した動画像の複数の領域における領域ごとに、画像の変化を検出する変化検出部と、前記変化検出部が画像の変化を検出した領域について、当該領域を特定する情報である領域特定情報に対応付けて、当該検出された画像の変化に関する情報である変化情報を、領域特定情報と変化情報とを対応付ける情報である変化対応情報が記憶される変化対応情報記憶部に蓄積する変化情報蓄積部と、課金対応情報記憶部で記憶されている、領域特定情報と当該領域特定情報で特定される領域に対応する課金金額に関する情報である課金情報とを対応付ける情報である課金対応情報によって領域特定情報に対応付けられている課金情報を、当該領域特定情報に前記変化対応情報で対応付けられている変化情報に応じて更新する課金情報更新部と、前記課金対応情報で領域特定情報と対応付けられている課金情報を出力する課金情報出力部として機能させるためのものである。
【０１４６】
なお、上記プログラムにおいて、上記プログラムが実現する機能には、ハードウェアでしか実現できない機能は含まれない。例えば、情報を受け付ける受付部や、情報を出力する出力部などにおけるモデムやインターフェースカードなどのハードウェアでしか実現できない機能は、上記プログラムが実現する機能には少なくとも含まれない。
【０１４７】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１４８】
また、このプログラムを実行するコンピュータは、単数であってもよく、複数であってもよい。すなわち、集中処理を行ってもよく、あるいは分散処理を行ってもよい。
【０１４９】
図２２は、上記プログラムを実行して、上記各実施の形態による課金情報出力装置１、２を実現するコンピュータの外観の一例を示す模式図である。上記各実施の形態は、コンピュータハードウェア及びその上で実行されるコンピュータプログラムによって実現されうる。
【０１５０】
図２２において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【０１５１】
図２３は、コンピュータシステム９００の内部構成を示す図である。図２３において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０１５２】
コンピュータシステム９００に、上記各実施の形態による課金情報出力装置１、２の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【０１５３】
プログラムは、コンピュータ９０１に、上記各実施の形態による課金情報出力装置１、２の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
【０１５４】
また、本発明は、以上の実施の形態に限定されることなく、種々の変更が可能であり、それらも本発明の範囲内に包含されるものであることは言うまでもない。
【産業上の利用可能性】
【０１５５】
以上より、本発明による課金情報出力装置等によれば、動画像の各領域について適切な課金を行うことができるという効果が得られ、課金を行う装置等として有用である。
【図面の簡単な説明】
【０１５６】
【図１】本発明の実施の形態１による課金情報出力装置の構成を示すブロック図
【図２】同実施の形態による課金情報出力装置の動作を示すフローチャート
【図３】同実施の形態による課金情報出力装置の動作を示すフローチャート
【図４】同実施の形態による課金情報出力装置の動作を示すフローチャート
【図５】同実施の形態による課金情報出力装置の動作を示すフローチャート
【図６】同実施の形態におけるパターン対応情報の一例を示す図
【図７】同実施の形態における種類対応情報の一例を示す図
【図８】同実施の形態における参照画像の一例を示す図
【図９】同実施の形態における複数の領域について説明するための図
【図１０】同実施の形態における領域情報の一例を示す図
【図１１】同実施の形態における画像の一例を示す図
【図１２】同実施の形態における変化対応情報の一例を示す図
【図１３】同実施の形態における課金対応情報の一例を示す図
【図１４】同実施の形態における課金対応情報の一例を示す図
【図１５】本発明の実施の形態２による課金情報出力装置の構成を示すブロック図
【図１６】同実施の形態による課金情報出力装置の動作を示すフローチャート
【図１７】同実施の形態における課金情報出力装置を含むシステムの構成の一例を示す図
【図１８】同実施の形態における送信先対応情報の一例を示す図
【図１９】同実施の形態における変化対応情報の一例を示す図
【図２０】同実施の形態における課金対応情報の一例を示す図
【図２１】同実施の形態における端末装置の表示の一例を示す図
【図２２】同実施の形態におけるコンピュータシステムの外観一例を示す模式図
【図２３】同実施の形態におけるコンピュータシステムの構成の一例を示す図
【符号の説明】
【０１５７】
１、２  課金情報出力装置
３  端末装置
１１  動画像受付部
１２  蓄積部
１３  変化検出部
１４  変化情報蓄積部
１５  変化対応情報記憶部
１６  種類対応情報記憶部
１７  課金対応情報記憶部
１８  課金情報更新部
１９  課金情報出力部
２１  送信先対応情報記憶部
２２  送信部
【図１】
2010039696.tif 000003
【図２】
2010039696.tif 000004
【図３】
2010039696.tif 000005
【図４】
2010039696.tif 000006
【図５】
2010039696.tif 000007
【図６】
2010039696.tif 000008
【図７】
2010039696.tif 000009
【図８】
2010039696.tif 000010
【図９】
2010039696.tif 000011
【図１０】
2010039696.tif 000012
【図１１】
2010039696.tif 000013
【図１２】
2010039696.tif 000014
【図１３】
2010039696.tif 000015
【図１４】
2010039696.tif 000016
【図１５】
2010039696.tif 000017
【図１６】
2010039696.tif 000018
【図１７】
2010039696.tif 000019
【図１８】
2010039696.tif 000020
【図１９】
2010039696.tif 000021
【図２０】
2010039696.tif 000022
【図２１】
2010039696.tif 000023
【図２２】
2010039696.tif 000024
【図２３】
2010039696.tif 000025